(57)【要約】【課題】弁体の開閉動作や温度差によって負圧が発生しても雨水等が電装ボックスの内部に侵入することはないガス遮断弁の防水構造を提供することにある。【解決手段】弁体７及び弁体７を開閉するソレノイド８を内蔵した弁筐体１と、この弁筐体に設けられ弁筐体１１の内部とダイヤフラム１３によって区画されるとともに、前面に開口部１８を有する電装ボックス１１と、この電装ボックス１１に取付けられ、前記開口部１８を閉塞するとともに、一部に前記電装ボックス１１と連通する大気開放口２７を有する突出部２６を設けた中蓋２３と、前記大気開放口２７を囲撓するように設けられ、周囲に大気連通口２９ａ，２９ｂ，２９ｃを有する外蓋２４とを具備したことを特徴とする。【選択図】    図２
2004239315.tif 000002
【特許請求の範囲】
【請求項１】
ガス供給側とガス需要側とを結ぶガス供給配管の途中に、ガス遮断弁を設け、遠隔地に前記ガス緊急遮断弁の弁開閉を行なう弁遠隔操作器を設け、この弁遠隔操作器からの弁開閉信号によって前記ガス遮断弁を弁開閉する遠隔遮断システムにおけるガス遮断弁において、
ガス流通路を開閉する弁体及び弁体を開閉作動させるソレノイドを内蔵した弁筐体と、この弁筐体に設けられ弁筐体の内部とダイヤフラムによって区画されるとともに、前面に開口部を有する電装ボックスと、この電装ボックスの開口部を閉塞するとともに、前方に突出する突出部を有する中蓋と、この中蓋の突出部に設けられ前記電装ボックスと連通する大気開放口と、前記大気開放口を囲撓するように設けられ、周囲に複数の大気連通口を有する外蓋とを具備したことを特徴とするガス遮断弁の防水構造。
【請求項２】
前記中蓋と前記外蓋との間に前記大気連通口と連通する空間部が設けられ、この空間部に前記大気開放口が開口していることを特徴とする請求項１記載のガス遮断弁の防水構造。
【請求項３】
前記中蓋の大気開放口と前記外蓋の大気連通口とは対向しない位置に設けられていることを特徴とする請求項１記載のガス遮断弁の防水構造。
【請求項４】
前記外蓋の大気連通口は、少なくとも下部及び左右両側部の３箇所に設けられ、前記ガス流通路に対して取付けられる前記弁筐体が縦向きまたは左右横向きのいずれの姿勢でも前記大気連通口のいずれか一つが下向きとなり、水抜き経路が形成されることを特徴とする請求項１記載のガス遮断弁の防水構造。
【発明の詳細な説明】
【０００１】
【発明の属する技術分野】
この発明は、ガス供給側とガス需要側とを結ぶガス供給配管の途中に設けられるガス遮断弁の防水構造に関する。
【０００２】
【従来の技術】
ガス供給側とガス需要側とを結ぶガス供給配管の途中にガス遮断弁を設け、例えば２次圧力が異常に昇圧し、これを圧力センサが感知したとき、あるいはガス供給地域に地震が発生し、危険な状態が想定される震度以上を地震センサが感知すると、遮断弁制御器からの信号によってガス遮断弁を作動させてガスの供給を停止する、緊急遮断システムが知られている。
【０００３】
この緊急遮断システムに使用されているガス遮断弁は、従来、図７〜図１０に示すように構成されている。すなわち、弁筐体１の下部にはガス供給側と接続するガス流入口２とガス需要側と接続するガス流出口３を有するガス流通路４が設けられている。ガス流通路４にはガス流入口２側とガス流出口３側とを区画する隔壁５が設けられ、ガス流通路４を流通するガスは弁筐体１の内部を迂回するように屈曲した流通路が形成されている。
【０００４】
ガス流通路４のガス流出口３側には弁座６が設けられ、この弁座６には弁体７が開閉自在に設けられている。この弁体７は、弁筐体１の内部に設けられた双方向ソレノイド８のプランジャ９に取付けられており、このプランジャ９には弁体７を弁座６に弾性的に押圧して閉弁状態に保つ付勢ばね１０が設けられている。
【０００５】
弁筐体１の側部には電装ボックス１１が設けられている。この電装ボックス１１は連通口１２を介して弁筐体１の内部と連通しており、この連通口１２はダイヤフラム１３によって閉塞され、弁筐体１と電装ボックス１１とが区画されている。さらに、連通口１２から電装ボックス１１の内部に突出する筒体１４が設けられ、この筒体１４の内部にはダイヤフラムスプリング１３ａが設けられている。
【０００６】
筒体１４の開口部近傍の内周面にはねじ部１４ａが設けられ、このねじ部１４ａにはダイヤフラムスプリング１３ａの弾性力を調整するキャップ１５がねじ込まれ、このキャップ１５には大気開放口１５ａが設けられている。
【０００７】
また、電装ボックス１１の内部には端子台１６、圧力スイッチ１７等が設けられ、前面の開口部１８はコルクパッキン１９を介して蓋体２０によって閉塞されている。さらに、電装ボックス１１の下部には小孔からなる大気連通口２１が設けられ、この大気連通口２１は堰２１ａによって目隠しされている。
【０００８】
前述のように構成されたガス遮断弁を備えた緊急遮断システムは、通常の状態においては、弁体７が弁座６から離間し、開弁状態にあるため、ガス供給側から供給されたガスがガス流通路４を通ってガス需要側へ流れている。
【０００９】
例えば２次圧力が異常に昇圧し、これを圧力センサが感知したとき、あるいはガス供給地域に地震が発生し、危険な状態が想定される震度以上を地震センサが感知すると、遮断弁制御器からの閉弁信号がガス遮断弁に入力され、双方向ソレノイド８が作動して弁体７が弁座６に接触し、ガス流通路４を遮断する。
【００１０】
また、２次圧力が正常な状態に戻り、また地震が収まってガスが安全に使用できる状態になると、遮断弁制御器からの開弁信号がガス遮断弁に入力される。従って、双方向ソレノイド８が作動して付勢ばね１０の付勢力に抗して弁体７を弁座６から離間させガス流通路４が開放する。そして、ガス供給側から供給されたガスがガス流通路４を通ってガス需要側へ流れる。
【００１１】
【発明が解決しようとする課題】
ところで、ガス遮断弁は、遮断弁制御器からの開閉信号によって弁筐体１内で弁体７が昇降するため、この弁体７の開閉によって弁筐体１内が正圧となったり負圧となり、この圧力変動によってダイヤフラム１３によって区画された電装ボックス１１内が負圧となったり、温度差によって電装ボックス１１が負圧になる。
【００１２】
従って、電装ボックス１１に設けられた大気連通口２１から雨水等が電装ボックス１１の内部に侵入し、一度侵入した水は抜けないため、電装ボックス１１の内部に溜まり、電装部品に悪影響を及ぼすという問題がある。
【００１３】
この発明は、前記事情に着目してなされたもので、その目的とするところは、弁体の開閉動作や温度差によって負圧が発生しても雨水等が電装ボックスの内部に侵入することはなく、しかも大気開放口を確保できるガス遮断弁の防水構造を提供することにある。
【００１４】
【課題を解決するための手段】
この発明は、前記目的を達成するために、請求項１は、ガス供給側とガス需要側とを結ぶガス供給配管の途中に、ガス遮断弁を設け、遠隔地に前記ガス緊急遮断弁の弁開閉を行なう弁遠隔操作器を設け、この弁遠隔操作器からの弁開閉信号によって前記ガス遮断弁を弁開閉する遠隔遮断システムにおけるガス遮断弁において、ガス流通路を開閉する弁体及び弁体を開閉作動させるソレノイドを内蔵した弁筐体と、この弁筐体に設けられ弁筐体の内部とダイヤフラムによって区画されるとともに、前面に開口部を有する電装ボックスと、この電装ボックスの開口部を閉塞するとともに、前方に突出する突出部を有する中蓋と、この中蓋の突出部に設けられ前記電装ボックスと連通する大気開放口と、前記大気開放口を囲撓するように設けられ、周囲に大気連通口を有する外蓋とを具備したことを特徴とするガス遮断弁の防水構造にある。
【００１５】
請求項２は、請求項１の前記中蓋と前記外蓋との間に前記大気連通口と連通する空間部が設けられ、この空間部に前記大気開放口が開口していることを特徴とする。
【００１６】
請求項３は、請求項１の前記中蓋の大気開放口と前記外蓋の大気連通口とは対向しない位置に設けられていることを特徴とする。
【００１７】
請求項４は、請求項１の前記外蓋の大気連通口は、少なくとも下部及び左右両側部の３箇所に設けられ、前記ガス流通路に対して取付けられる前記弁筐体が縦向きまたは左右横向きのいずれの姿勢でも前記大気連通口のいずれか一つが下向きとなり、水抜き経路が形成されることを特徴とする。
【００１８】
前記構成によれば、遮断弁制御器からの開閉信号によって弁筐体内で弁体が昇降するため、この弁体の開閉によって弁筐体内が正圧となったり負圧となり、この圧力変動によってダイヤフラムによって区画された電装ボックス内が負圧となったり、温度差によって電装ボックスが負圧になる。
【００１９】
しかし、外蓋に設けられた大気連通口によって大気開放口を介して電装ボックス内と連通する大気開放経路が形成されているため、電装ボックス内の大気開放を確保することができる。また、電装ボックス内が負圧となったとき、雨水が大気連通口から空間部に侵入しても、いずれか一つの大気連通口から水抜きされ、大気開放口から電装ボックスの内部に侵入することはない。
【００２０】
【発明の実施の形態】
以下、この発明の実施の形態を図面に基づいて説明する。
【００２１】
図１〜図６は第１の実施形態を示し、図１はガス遮断弁の正面図、図２は同じく一部切欠した側面図、図３は図２のＡ部を拡大した縦断側面図であり、従来と同一構成部分は同一番号を付して説明を省略する。
【００２２】
弁筐体１に設けられた電装ボックス１１の前面の開口部１８は合成樹脂材料からなるパッキン兼用の中蓋２３によって閉塞され、この中蓋２３の外側には外蓋２４が設けられている。そして、中蓋２３と外蓋２４はビス２５によって電装ボックス１１に共締め固定されている。従って、中蓋２３と外蓋２４との間には空間部３０が設けられている。
【００２３】
中蓋２３の略中央部には空間部３０の内部に突出する円柱状の突出部２６が一体に設けられている。この突出部２６の先端部にはフランジ部２６ａが設けられているとともに、軸心部には前後方向に貫通する大気開放口２７が設けられている。従って、電装ボックス１１の内部と外蓋２４の内部とは大気開放口２７を介して連通し、この大気開放口２７は電装ボックス１１と弁筐体１とを区画するダイヤフラム１３と対向している。
【００２４】
外蓋２４は、その内面に大気開放口２７を有する突出部２６を囲撓する筒状の堰２４ａが設けられた矩形ボックス形状で、堰２４ａの内面は大気開放口２７と接近して設けられている。さらに、外蓋２４の左右両側部及び下部の３箇所にはスリット状の大気連通口２９ａ，２９ｂ，２９ｃが設けられている。そして、３箇所の大気連通口２９ａ，２９ｂ，２９ｃによって大気開放口２７を介して電装ボックス１１内と連通する大気開放経路３１が形成されている。
【００２５】
前述のように構成されたガス遮断弁によれば、遮断弁制御器からの開閉信号によって弁筐体１内で弁体７が昇降するため、この弁体７の開閉によって弁筐体１内が正圧となったり負圧となり、この圧力変動によってダイヤフラム１３によって区画された電装ボックス１１内が負圧となったり、温度差によって電装ボックス１１が負圧になる。
【００２６】
しかし、外蓋２４の内面に設けられた堰２４ａによって大気開放口２７が囲撓され、しかも外蓋２４に設けられた３箇所の大気連通口２９ａ，２９ｂ，２９ｃによって大気開放口２７を介して電装ボックス１１内と連通する屈曲した大気開放経路３１が形成されているため、電装ボックス１１内の大気開放を確保することができる。
【００２７】
また、電装ボックス１１内が負圧となったとき、雨水が大気連通口２９ａ，２９ｂ，２９ｃから空間部３０に侵入しても、堰２４ａによって大気開放口２７から雨水が侵入することはなく、大気連通口２９ａ，２９ｂ，２９ｃのいずれかから排水され、大気開放口２７から電装ボックス１１の内部に侵入することはない。
【００２８】
すなわち、図４（ａ）は、ガス流通路４が横方向に設けられ、このガス流通路４の上部に弁筐体１が縦向きに取付けられた場合である。この場合、図４（ｂ）に示すように、外蓋２４の両側部の大気連通口２９ａ，２９ｂから雨水が空間部３０に侵入しても下部の大気連通口２９ｃから排水される水抜き経路が形成される。従って、大気開放口２７から電装ボックス１１の内部に侵入することはない。
【００２９】
図５（ａ）は、ガス流通路４が縦方向に設けられ、このガス流通路４の右側部に弁筐体１が横向きに取付けられた場合である。この場合、図５（ｂ）に示すように、外蓋２４の上部及び左側部の大気連通口２９ａ，２９ｃから雨水が空間部３０に侵入しても下部の大気連通口２９ｂから排水される水抜き経路が形成される。従って、大気開放口２７から電装ボックス１１の内部に侵入することはない。
【００３０】
図６（ａ）は、ガス流通路４が縦方向に設けられ、このガス流通路４の左側部に弁筐体１が横向きに取付けられた場合である。この場合、図６（ｂ）に示すように、外蓋２４の上部及び右側部の大気連通口２９ｂ，２９ｃから雨水が空間部３０に侵入しても下部の大気連通口２９ａから排水される水抜き経路が形成される。従って、大気開放口２７から電装ボックス１１の内部に侵入することはない。
【００３１】
なお、大気連通口２９ａ，２９ｂ，２９ｃは３箇所に限定されるものではなく、その形状も限定されるものではない。
【００３２】
【発明の効果】
以上説明したように、この発明によれば、弁体の開閉動作や温度差によって負圧が発生しても雨水等が電装ボックスの内部に侵入することはなく、しかも大気開放口を確保できるガス遮断弁の防水構造を提供できる。
【図面の簡単な説明】
【図１】この発明の第１の実施形態を示すガス遮断弁の正面図。
【図２】同実施形態のガス遮断弁の一部切欠した側面図。
【図３】同実施形態を示し、図２のＡ部を拡大した縦断側面図。
【図４】同実施形態を示し、（ａ）はガス流通路に対する弁筐体の取付け状態を示す正面図、（ｂ）は外蓋の縦断正面図。
【図５】同実施形態を示し、（ａ）はガス流通路に対する弁筐体の取付け状態を示す正面図、（ｂ）は外蓋の縦断正面図。
【図６】同実施形態を示し、（ａ）はガス流通路に対する弁筐体の取付け状態を示す正面図、（ｂ）は外蓋の縦断正面図。
【図７】従来のガス遮断弁を示す正面図。
【図８】同じく蓋体を取り外した状態のガス遮断弁の側面図。
【図９】図８のＢ部を拡大した縦断側面図。
【図１０】同じくガス遮断弁を示し、（ａ）は開弁状態の一部切欠した側面図、（ｂ）は閉弁状態の一部切欠した側面図。
【符号の説明】
１…弁筐体、２…ガス流入口、３…ガス流出口、４…ガス流通路、６…弁座、７…弁体、１１…電装ボックス、１３…ダイヤフラム、２３…中蓋、２４…外蓋、２６…突出部、２７…大気開放口、２９ａ，２９ｂ，２９ｃ…大気連通口、３０…空間部
【図１】
2004239315.tif 000003
【図２】
2004239315.tif 000004
【図３】
2004239315.tif 000005
【図４】
2004239315.tif 000006
【図５】
2004239315.tif 000007
【図６】
2004239315.tif 000008
【図７】
2004239315.tif 000009
【図８】
2004239315.tif 000010
【図９】
2004239315.tif 000011
【図１０】
2004239315.tif 000012